(57)【要約】【課題】所定の自動停止条件が成立したときにエンジン１を自動停止させて、該自動停止したエンジン１を所定の再始動条件が成立したときに再始動させるアイドルストップ機能と、エンジン１の運転中の油圧異常を検出したときに油圧異常の報知動作を行わせる油圧監視機能とを有する車両の制御装置３において、エンジン１の運転中に油圧異常が発生して報知動作を行っている途中でアイドルストップ機能によるエンジン１の自動停止を行っても、運転者に油圧異常に関する情報を正確に伝達可能とする。【解決手段】車両に搭載されるエンジン１は、その内部の潤滑用および作動用の油をクランクシャフト１ａにより駆動されるオイルポンプ９で循環する構成である。車両の制御装置３による前記油圧監視機能は、前記油圧異常の報知動作中にアイドルストップ機能によるエンジン１の自動停止が行われても、前記報知動作を継続させる。【選択図】図３
2008255968.tif 000002
【特許請求の範囲】
【請求項１】
内部の潤滑用および作動用の油をクランクシャフトにより駆動されるオイルポンプで循環するエンジンが搭載される車両の制御装置であって、
所定の自動停止条件が成立したときにエンジンを自動停止させて、該自動停止したエンジンを所定の再始動条件が成立したときに再始動させるアイドルストップ機能と、前記エンジン運転中の油圧異常を検出したときに油圧異常の報知動作を行わせる油圧監視機能とを有し、
かつ、前記油圧監視機能においては、前記報知動作中に前記アイドルストップ機能によるエンジンの自動停止が行われても前記報知動作を継続させる、ことを特徴とする車両の制御装置。
【請求項２】
請求項１に記載の車両の制御装置において、
前記油圧監視機能は、
前記エンジン運転中における油圧検出要素の出力に基づき油圧が所定以下に低下する異常の有無を判断する手段と、
前記手段で油圧異常有と判定したときに、前記油圧異常の報知動作を行わせるとともに、報知動作の実行履歴を有りとする手段と、
エンジンが前記アイドルストップ機能により自動停止された場合、当該自動停止前における前記報知動作の状態を継続させる手段とを実行する、ことを特徴とする車両の制御装置。
【発明の詳細な説明】
【技術分野】
【０００１】
本発明は、内部の潤滑用および作動用の油をクランクシャフトにより駆動されるオイルポンプで循環するエンジンが搭載される車両の制御装置に関する。
【０００２】
この制御装置は、所定の自動停止条件が成立したときにエンジンを自動停止させて、該自動停止したエンジンを所定の再始動条件が成立したときに再始動させるアイドルストップ機能と、前記エンジン運転中の油圧異常を検出したときに油圧異常の報知動作を行わせる油圧監視機能とを有する構成であって、特に、前記油圧監視機能を改良している。
【背景技術】
【０００３】
従来から、車両には、燃料消費量の抑制ならびに排気ガスの放出量の低減を図るため、アイドルストップ機能（あるいはエコラン機能とも言う）を装備したものがある（例えば特許文献１参照。）。
【０００４】
このアイドルストップ機能は、例えばガソリンエンジンまたはディーゼルエンジン等を搭載した一般的な車両において、例えば信号待ち等で一時停車したとき（所定の自動停止条件が成立したとき）にエンジンを自動停止させて、その後で発進するとき（所定の再始動条件が成立したとき）にエンジンを再始動させるような処理を行うものである。
【０００５】
ところで、エンジンの油圧が所定以下に低下するような異常を検出したときに油圧異常の報知動作を行う油圧監視機能を装備することが考えられている（例えば特許文献１，２参照。）。
【０００６】
参考までに、エンジン内で潤滑用や作動用の油を循環させるオイルポンプをクランクシャフトで駆動するようにしている場合、このオイルポンプの吐出側の油圧を検出し、この検出値が所定の閾値以下であるか否かによって油圧の異常の有無を判断するようにしている。そのため、エンジンの停止中は、オイルポンプが駆動されない関係上、エンジンの油圧が発生されない。
【０００７】
ここで、上述したアイドルストップ機能を有する車両に搭載されるエンジンにおいて、前記油圧監視機能を行うようにすると、次のような状況が起こりうる。
【０００８】
例えば、アイドルストップ機能によってエンジンを自動停止させたときに、オイルポンプをクランクシャフトで駆動している関係よりエンジンの油圧が発生しないので、エンジンの自動停止直前に油圧が正常であったとしても油圧異常が発生していると判断してしまい、油圧異常の報知動作を行うことが懸念される。この場合、油圧異常を報知することが間違いとなる。
【０００９】
これに対し、特許文献１の従来例では、エンジン運転中にのみ作動油の油圧異常の有無を監視するとともに、油圧異常を認識したときにエンジン運転中のみ油圧警告ランプを鳴らして、その状態のままエンジンを自動停止させたときに前記警報動作を中断させるようにしている。
【００１０】
この場合、当然ながら、エンジン運転中に油圧異常を認識して警報動作を行っていても、その後でエンジンが自動停止されたときに、前記警報動作を中断してしまうことになる。
【特許文献１】実公平４−１４３０１号公報
【特許文献２】特開２００１−１４０６１９号公報
【発明の開示】
【発明が解決しようとする課題】
【００１１】
上記特許文献１の従来例では、例えばエンジンの運転中に油圧異常を検出して報知動作を実行している場合に、エンジンを自動停止させると、油圧異常の報知動作を中断するようになる。そのため、運転者は、油圧異常が発生しているのかどうかに確信が持てなくなるだけでなく、油圧異常の監視系が誤作動したのかといった疑念を抱かせることになりうる。このように、運転者を混乱させるおそれがあって、運転者に油圧異常に関する情報を正確に伝達できなくなっていると言える。
【００１２】
特に、上記特許文献１の従来例では、エンジン自動停止中に油圧異常に関する警報動作を中断する代わりに、わざわざサイドブレーキの引き忘れ用の油圧警告ランプを鳴らすようにしているが、そのようなことを行うと、余計に、運転者を混乱させてしまうことが懸念される。
【００１３】
本発明は、エンジンの自動停止・再始動を可能とするアイドルストップ機能と、エンジン運転中の油圧異常を検出したときに油圧異常の報知動作を行わせる油圧監視機能とを有する車両の制御装置において、エンジン運転中に油圧異常が発生して報知動作を行っている途中で前記アイドルストップ機能によるエンジンの自動停止を行っても、運転者に油圧異常に関する情報を正確に伝達可能とすることを目的としている。
【課題を解決するための手段】
【００１４】
本発明は、内部の潤滑用および作動用の油をクランクシャフトにより駆動されるオイルポンプで循環するエンジンが搭載される車両の制御装置であって、所定の自動停止条件が成立したときにエンジンを自動停止させて、該自動停止したエンジンを所定の再始動条件が成立したときに再始動させるアイドルストップ機能と、前記エンジン運転中の油圧異常を検出したときに油圧異常の報知動作を行わせる油圧監視機能とを有し、かつ、前記油圧監視機能においては、前記報知動作中に前記アイドルストップ機能によるエンジンの自動停止が行われても前記報知動作を継続させる、ことを特徴としている。
【００１５】
そもそも、上述したようなエンジンでは、その運転が停止されると、オイルポンプが駆動されなくなるために、油圧が発生しなくなる。したがって、アイドルストップ機能によってエンジンが自動停止されたときに、油圧監視していると、油圧異常を検出することになるために、エンジン自動停止中における油圧異常を判断すること自体が無意味であると言える。その点を考慮し、油圧監視を実質的にエンジン運転中のみに行うのが好ましいと知見した。
【００１６】
このような知見を考慮した本発明の上記構成によれば、エンジンの運転中にエンジン内部の油圧異常を検出すると油圧異常の報知動作を行わせるが、仮に、この報知動作中にアイドルストップ機能によってエンジンが自動停止されたとしても、前記報知動作を意図的に継続させるようにしている。
【００１７】
これにより、運転者に前記油圧異常の報知動作が間違いでないとアピールできるようになる。そのため、従来例のように報知動作をエンジン自動停止中に中断することによって運転者を混乱させるといった心配がなくなる。
【００１８】
好ましくは、前記油圧監視機能は、前記エンジン運転中における油圧検出要素の出力に基づき油圧が所定以下に低下する異常の有無を判定する手段と、前記手段で油圧異常有と判定したときに、前記油圧異常の報知動作を行わせるとともに、報知動作の実行履歴を有りとする手段と、エンジンが前記アイドルストップ機能により自動停止された場合、当該自動停止前における前記報知動作の状態を継続させる手段とを有する。
【００１９】
この構成では、油圧監視機能を実現する手段を特定しており、その特定によって車両の制御装置の構成が明確になる。
【発明の効果】
【００２０】
本発明によれば、エンジン運転中の油圧異常の発生に伴い報知動作を行っている途中で、エンジンをアイドルストップ機能により自動停止させても、運転者に油圧異常に関する情報を正確に伝達することが可能になり、運転者に余計な不安を抱かせずに済む。
【発明を実施するための最良の形態】
【００２１】
以下、本発明の実施形態について図面を参照しながら詳細に説明する。
【００２２】
図１から図６に本発明の一実施形態を示している。まず、本発明の特徴を適用した部分の説明に先立ち、本発明の適用対象となる車両のドライブトレーンの概略構成について、図１を参照して説明する。
【００２３】
図中、１は動力源としてのエンジン、２は自動変速機、３は車両制御装置である。
【００２４】
エンジン１は、例えばガソリンエンジンとされ、電子制御スロットル５で調整された吸入空気とインジェクタ６から噴射される燃料とを適宜の比率で混合した混合気を燃焼室に供給し、イグナイタ７で点火プラグを点火して前記混合気を燃焼させることにより、回転動力を発生するものである。このエンジンは、ディーゼルエンジンでもよい。
【００２５】
エンジン１の始動には、クランクシャフト１ａに連結されているフライホイール（図示省略）を始動装置としてのスタータモータ８で回転駆動することによりクランキングされる。また、エンジン１内で潤滑用や作動用の油を循環させるオイルポンプ９は、クランクシャフト１ａで駆動されるようになっている。
【００２６】
この電子制御スロットル５は、詳細に図示していないが、アクセルペダル１１の踏み込み量（アクセル開度）や制御上の必要条件に基づきスロットルモータを駆動することによりインテークマニホールドに設置されるスロットルバルブの開度を適宜に調整する構成である。
【００２７】
自動変速機２は、エンジン１で発生した回転動力を適宜変速して駆動系へ出力するもので、トルクコンバータ、変速機構部や油圧制御装置等を含んだ一般的に公知の構成である。この変速機構部は、遊星歯車機構、複数の歯車を有する歯車列機構、あるいはＣＶＴ等の無段変速機構等のいずれであってもよい。
【００２８】
車両制御装置３は、一般的に公知のエンジンＥＣＵ（Electronic Control Unit）３１、トランスミッションＥＣＵ３２、アイドルストップＥＣＵ３３等を含み、各種の検出要素から入力される情報に基づいてエンジン１の運転に関連する各種制御や自動変速機２の変速制御等を統括的に行うように構成されている。
【００２９】
各ＥＣＵ３１〜３３は、それぞれＣＰＵ、ＲＯＭ、ＲＡＭ及びバックアップＲＡＭ等を含む構成であり、必要に応じて互いの内部保存データを送受信することが可能になっている。このデータの送受信には、例えばＣＡＮ（Ｃｏｎｔｒｏｌｌｅｒ Ａｒｅａ Ｎｅｔｗｏｒｋ）が用いられる。
【００３０】
ＲＯＭは、各種の制御プログラムや、それら各種の制御プログラムを実行する際に参照されるマップ等が記憶されている。ＣＰＵは、ＲＯＭに記憶された各種の制御プログラムやマップに基づいて演算処理を実行する。ＲＡＭは、ＣＰＵでの演算結果や各種の検出手段から入力された情報等を一時的に記憶するメモリであり、バックアップＲＡＭは、エンジン１の停止時等に各種の保存すべきデータ等を記憶する不揮発性のメモリである。
【００３１】
なお、車両制御装置３に情報を入力するための検出要素としては、少なくとも、図２に示すように、エンジン回転数センサ７１、車速センサ７２、アクセル開度センサ７３、シフトポジションセンサ７４、フットブレーキスイッチ７５、油圧検出要素としてのオイルプレッシャスイッチ７６等が挙げられる。
【００３２】
エンジン回転数センサ７１は、エンジン１の回転数を検出するもので、車速センサ７２は、車両の速度を検出するもので、アクセル開度センサ７３は、アクセルペダル１１の開度を検出するものである。シフトポジションセンサ７４は、自動変速機２のシフトレバー１２により選択されるシフトポジションを検出するものである。フットブレーキスイッチ７５は、車両の運転者によりフットブレーキペダル１３が操作されたか否かを検知するものである。オイルプレッシャスイッチ７６は、オイルポンプ９の吐出側の油圧が所定の閾値以下であるか否かによってオン・オフするものである。
【００３３】
このような車両制御装置３は、少なくとも、アイドルストップ機能を実行する他、油圧監視機能を実行するようになっている。
【００３４】
前記アイドルストップ機能は、基本的に公知の手法と同様であるが、要するに、所定の自動停止条件が成立したときにエンジン１を自動停止させて、該自動停止したエンジン１を所定の再始動条件が成立したときに再始動させるものであって、例えば主としてアイドルストップＥＣＵ３３によって制御される。
【００３５】
なお、エンジン１の自動停止条件は、例えば車速、アクセル開度、フットブレーキの状態等とされ、アイドルストップＥＣＵ３３が、例えば車速センサ７２、アクセル開度センサ７３ならびにフットブレーキスイッチ７５からの出力に基づいて、車速がゼロ、アクセルオフ、フットブレーキがオンであると判断したときに、自動停止条件が成立したと判断し、エンジンＥＣＵ３１に停止指令を送信して、エンジン１の燃料噴射系や点火系等を強制的に停止させることにより、エンジン１の運転を停止させる。
【００３６】
一方、エンジン１の再始動条件とは、シフトポジションまたはフットブレーキの状態等とされ、アイドルストップＥＣＵ３３が、シフトポジションセンサ７４およびフットブレーキスイッチ７５からの出力に基づいて、シフトポジションがドライブレンジＤ、またはフットブレーキスイッチ７５がオフであると判断したときに、再始動条件が成立したと判断し、エンジンＥＣＵ３１に再始動指令を送信し、スタータモータ８を駆動することによりエンジン１のクランクシャフト１ａを回転させる（クランキング）一方で、このクランキングのタイミングに応じてエンジン１の燃料噴射系や点火系統等を駆動させることにより、エンジン１の運転を再始動させる。
【００３７】
また、前記油圧監視機能は、要するに、エンジン１の運転中における油圧異常を検出したときに油圧異常報知要素としての油圧警告ランプ１５による報知動作を行わせるものであって、例えば主としてエンジンＥＣＵ３１によって制御される。なお、この油圧監視機能は、例えばダイアグノーシスによる診断の一つとして組み込み、専用のＥＣＵによって制御することが可能である。
【００３８】
なお、油圧警告ランプ１５は、例えば車両室内のメーターパネルなどに設置される。但し、この油圧警告ランプ１５の代わりに、例えば警報ブザーとしたり、あるいは車両室内のメーターパネルなどに設けられるメッセージ表示部に油圧異常を知らせるメッセージやマーク等を表示したりすることも可能である。
【００３９】
ここで、本発明の特徴を適用した部分について詳細に説明する。
【００４０】
すなわち、この実施形態では、前記油圧監視機能において、エンジン１の運転中のみ油圧異常を実質的に検出する処理を行うようにしたうえで、例えば前記アイドルストップ機能によってエンジン１を自動停止させたときに、当該自動停止前における油圧異常の報知動作の状態を継続させるように工夫している。
【００４１】
例えば、エンジン１をアイドルストップ機能によって自動停止させたときに、当該自動停止前に油圧異常の報知動作を行っている場合には、この報知動作を継続させるようにするが、エンジン１を自動停止させたときに、当該自動停止前に油圧異常の報知動作を行っていない場合には、報知動作を行わない状態を継続させるようにする。
【００４２】
以下、油圧監視機能に関する動作について、図３に示すフローチャートを参照して説明することにする。
【００４３】
このフローチャートは、一定周期毎にエントリーされ、ステップＳ１において、エンジン１が運転中か否かを判定する。この判定は、例えばイグニッションスイッチ（図示省略）の状態と、エンジン回転数センサ７１の出力とに基づいて行える。要するに、エンジン運転中とは、アイドリング状態や走行状態のことである。
【００４４】
ここで、エンジン１が運転中である場合には、前記ステップＳ１で肯定判定して、ステップＳ２〜Ｓ６の流れに移行するが、エンジン１が運転中でない場合には、前記ステップＳ１で否定判定して、ステップＳ１１，１２の流れに移行する。
【００４５】
先に、前記ステップＳ２では、油圧が異常か否かを判定する。この判定は、オイルプレッシャスイッチ７６がオンかオフかを調べることによって行える。オイルプレッシャスイッチ７６は、オイルポンプ９の吐出側の油圧が所定の適正範囲内である場合に、オフとなり、前記適正範囲外である場合にオンとなる。
【００４６】
ここで、オイルプレッシャスイッチ７６がオフの場合には、油圧が正常であるので、前記ステップＳ２で否定判定して、ステップＳ３において油圧異常フラグを「０」にして続くステップＳ４で油圧警告ランプ１５を消灯状態にしてから、このフローチャートを抜ける。
【００４７】
一方、オイルプレッシャスイッチ７６がオンの場合には、油圧が異常であるので、前記ステップＳ２で肯定判定して、ステップＳ５において油圧異常フラグを「１」にして続くステップＳ６で油圧警告ランプ１５を点灯状態にしてから、このフローチャートを抜ける。
【００４８】
ところで、前記ステップＳ１１では、エンジン１の停止がアイドルストップ機能によるエンジン１の自動停止期間であるか否かを判定する。この判定は、アイドルストップＥＣＵ３３の例えば自動停止フラグの状態を参照することにより行える。例えば自動停止フラグは、アイドルストップ機能によりエンジン１を自動停止させたときに「１」とされ、再始動したときに「０」とされる。
【００４９】
ここで、エンジン１の停止がアイドルストップ機能による自動停止と異なる場合には、前記ステップＳ１１で否定判定して、このフローチャートを抜ける。しかし、エンジン１の停止がアイドルストップ機能により行われている場合には、前記ステップＳ１１で肯定判定して、続くステップＳ１２に移行する。
【００５０】
このステップＳ１２では、油圧異常フラグが「１」であるか否かを判定する。ここではつまり、エンジン１の自動停止前に油圧異常の報知動作を行っているか否かを調べているのである。
【００５１】
ここで、油圧異常フラグが「０」である場合、つまりエンジン１の自動停止前に油圧異常の報知動作を行っていない場合には、前記ステップＳ１２で否定判定して、前記ステップＳ４に移行して油圧警告ランプ１５の消灯状態を継続させてから、このこのフローチャートを抜ける。
【００５２】
しかし、油圧異常フラグが「１」である、つまりエンジン１の自動停止前に油圧異常の報知動作を行っている場合には、前記ステップＳ１２で肯定判定して、前記ステップＳ６に移行して油圧警告ランプ１５の点灯状態を継続させてから、このこのフローチャートを抜ける。
【００５３】
次に、上述した動作説明に関連して、車両の走行状況に応じたアイドルストップ機能による自動停止と油圧異常の有無との関係について、図４から図６に示すタイムチャートを参照して説明する。
【００５４】
なお、図４は、本実施形態において油圧正常時の動作説明に用いるタイムチャート、図５は、本実施形態において油圧異常時の動作説明に用いるタイムチャート、図６は、比較例において油圧異常時の動作説明に用いるタイムチャートである。これらの図において、（ａ）は、エンジン回転数を、（ｂ）はオイルプレッシャスイッチ７６の出力を、（ｃ）は油圧警告ランプ１５の状態をそれぞれ示している。
【００５５】
（１）まず、エンジン１が運転されている期間（図４の時刻ｔ０からｔ１）においてエンジン１の油圧が正常である状況では、図４（ｂ）に示すように、オイルプレッシャスイッチ７６からの出力がオフになっていて、図４（ｃ）に示すように、油圧警告ランプ１５が消灯状態になっている。
【００５６】
ここで、図４の時刻ｔ１においてアイドルストップ機能によりエンジン１が自動停止されたとすると、図４（ｂ）に示すように、オイルプレッシャスイッチ７６からの出力はオンになる。これは、エンジン１の自動停止によってオイルポンプ９が非駆動状態になる関係より、オイルプレッシャスイッチ７６が正常であることを示している。
【００５７】
このエンジン１の自動停止中には、図４（ｂ）に示すように、オイルプレッシャスイッチ７６がオンになっているが、上述しているように制御上はオイルプレッシャスイッチ７６からの出力に関係なく、図４（ｃ）に示すように、この自動停止前における油圧警告ランプ１５の状態、つまり消灯状態を継続させるようになる。
【００５８】
そして、図４の時刻ｔ２において、アイドルストップ機能によってエンジン１が再始動されると、図４（ｂ）に示すように、オイルプレッシャスイッチ７６からの出力がオフになっており、図４（ｃ）に示すように、油圧警告ランプ１５が消灯状態になる。
【００５９】
このように、エンジン１の油圧が正常な場合には、アイドルストップ機能によるエンジン１の自動停止を行っても油圧警告ランプ１５は消灯状態が継続されるようになる。
【００６０】
（２）次に、図５の時刻ｔ０でエンジン１の運転が開始された後、エンジン１の運転途中における図５の時刻ｔｎでエンジン１の油圧が所定の適正範囲より低下したとする。その場合には、図５（ｂ）に示すように時刻ｔｎにおいてオイルプレッシャスイッチ７６からの出力がオンになるので、図５（ｃ）に示すように、油圧警告ランプ１５が点灯状態とされる。
【００６１】
ここで、図５の時刻ｔ１においてアイドルストップ機能によりエンジン１が自動停止されると、図５（ｂ）に示すように、オイルプレッシャスイッチ７６からの出力はオンのまま継続されるようになる。
【００６２】
この場合も、エンジン１の自動停止中は、上述しているように制御上においてオイルプレッシャスイッチ７６からの出力に関係なく、図５（ｃ）に示すように、この自動停止前における油圧警告ランプ１５の状態、つまり点灯状態が継続されるようになる。
【００６３】
そして、アイドルストップ機能によって図５の時刻ｔ２でエンジン１を再始動しても、前記油圧異常が発生したままであるとすると、図５（ｂ）に示すように、オイルプレッシャスイッチ７６からの出力がオンのまま継続されるようになり、図５（ｃ）に示すように、油圧警告ランプ１５が点灯されたままになる。
【００６４】
このように、エンジン１の運転中において油圧の異常が発生すると、アイドルストップ機能によるエンジン１の自動停止を行っても、油圧警告ランプ１５は異常になった時点から点灯状態が継続されるようになる。
【００６５】
（３）参考までに、比較例について、図６に示すように、エンジン１のアイドルストップ機能による自動停止のタイミングやオイルプレッシャスイッチ７６の出力状態についても上記（２）で説明した状況と全く同じとして説明する。
【００６６】
この場合、図６の時刻ｔ０でエンジン１の運転が開始されてから、エンジン１の運転途中における図６の時刻ｔｎでエンジン１の油圧が所定の適正範囲より低下したとする。その場合には、図６（ｂ）に示すように時刻ｔｎにおいてオイルプレッシャスイッチ７６からの出力がオンになるので、図６（ｃ）に示すように、油圧警告ランプ１５が点灯状態とされる。
【００６７】
ここで、図６の時刻ｔ１においてアイドルストップ機能によりエンジン１が自動停止されると、図６（ｂ）に示すように、オイルプレッシャスイッチ７６からの出力はオンのまま継続されるものの、エンジン１の自動停止中は制御上においてオイルプレッシャスイッチ７６からの出力を無視して、図６（ｃ）に示すように油圧警告ランプ１５が消灯状態にされる。
【００６８】
そして、アイドルストップ機能によって図６の時刻ｔ２でエンジン１を再始動しても、前記油圧異常が発生したままであるとすると、図６（ｂ）に示すように、オイルプレッシャスイッチ７６からの出力がオンのまま継続されるので、図６（ｃ）に示すように、油圧警告ランプ１５が点灯状態とされる。
【００６９】
このように、エンジン１の運転中において油圧の異常が発生すると、油圧警告ランプ１５を点灯するが、アイドルストップ機能によるエンジン１の自動停止を行うと、油圧警告ランプ１５を消灯するために、運転者は油圧の異常の警報が正しいのかどうかに疑念を持つようになり、好ましくない。
【００７０】
以上説明したように、この実施形態では、エンジン１の運転中にエンジン１内の油圧が低下するといった異常を検出すると油圧異常の報知動作を行わせるが、仮に、この報知動作中にアイドルストップ機能によってエンジン１が自動停止されたとしても、前記報知動作を意図的に継続させるようにしている。
【００７１】
これにより、運転者に前記油圧異常の報知動作が間違いでないとアピールできるようになるため、従来例のように報知動作をエンジン自動停止中に中断することによって運転者を混乱させるといった心配がなくなる。
【００７２】
このことは、運転者が油圧異常の報知動作に関する規則的な予備知識を持たせる必要がなくなる等、運転者にとって使い勝手のよい車両を提供するうえで有利となる。
【００７３】
なお、本発明は、上記実施形態のみに限定されるものではなく、特許請求の範囲内および当該範囲と均等の範囲で包含されるすべての変形や応用が可能である。
【００７４】
（１）上記実施形態では、動力源としてエンジン１のみを用いるタイプの車両を例に挙げているが、図示していないが、動力源としてエンジンに加えてモータを搭載したハイブリッド車両にも本発明を適用することが可能である。
【００７５】
つまり、ハイブリッド車両は、一般的に、アイドルストップ機能（エンジン自動停止・再始動機能）を備えているので、本発明の上記実施形態で開示した油圧監視機能を組み込むことが可能である。その場合、上記実施形態と同様の作用、効果が得られる。
【００７６】
（２）上記実施形態では、エンジン１の油圧検出についてオイルプレッシャスイッチ７６で検出してオン・オフ信号を出力する形態にしているが、例えば油圧センサを用い、適宜のＥＣＵで油圧センサの出力を所定の閾値と比較して正常、異常の判断を行う形態としてもよい。
【図面の簡単な説明】
【００７７】
【図１】本発明に係る車両の制御装置の使用対象となる車両のパワートレーンを示す概略構成図である。
【図２】図１の車両制御装置の概略構成図である。
【図３】図２の車両制御装置の油圧監視機能に関する動作説明に用いるフローチャートである。
【図４】本実施形態において油圧正常時の動作説明に用いるタイムチャートである。
【図５】本実施形態において油圧異常時の動作説明に用いるタイムチャートである。
【図６】比較例において油圧異常時の動作説明に用いるタイムチャートである。
【符号の説明】
【００７８】
１      エンジン
１ａ    エンジンのクランクシャフト
３      制御装置
５      電子制御スロットル
６      インジェクタ
７      イグナイタ
８      スタータモータ
９      エンジンのオイルポンプ
１１      アクセルペダル
１２      シフトレバー
１３      フットブレーキペダル
１５      油圧警告ランプ
７１      エンジン回転数センサ
７２      車速センサ
７３      アクセル開度センサ
７４      シフトポジションセンサ
７５      フットブレーキスイッチ（油圧検出要素）
７６      オイルプレッシャスイッチ
【図１】
2008255968.tif 000003
【図２】
2008255968.tif 000004
【図３】
2008255968.tif 000005
【図４】
2008255968.tif 000006
【図５】
2008255968.tif 000007
【図６】
2008255968.tif 000008